(57)【要約】  【課題】  マッサージの機能を備えた電気カーペットを提供することを目的とする。  【解決手段】  繊維布の表生地４と断熱性を有する裏生地５との間に、通電により発熱する発熱体６を配設するとともに、この発熱体６─６間の領域に複数個の振動手段７（Ｍａ〜Ｍｎ）を配設してなるカーペット本体１を形成し、同カーペット本体１の一隅に、発熱体６への通電制御および振動手段７への通電制御が選択的に行えるモード選択部等を備えた制御部本体２を設けた構成とし、モード選択部の操作によって発熱体６のみへの通電制御、振動手段７だけへの通電制御、発熱体６と振動手段７への同時通電制御の他、複数個の振動手段７を一定時間ずつずらしながら順に運転させ、マッサージ位置を徐々に移動させるムーブ運転の機能、更に、このムーブ運転を行う際に発熱体６への通電制御も行えるようにした温熱ムーブマッサージの機能等を備えた電気カーペットとする。【選択図】図１
2006029731.tif 000002
【特許請求の範囲】
【請求項１】
表生地と裏生地間に、通電により発熱する発熱体と、振動手段を設けてなることを特徴とする電気カーペット。
【請求項２】
前記発熱体と振動手段の双方に同時に通電させる温熱マッサージ運転モードを設けたことを特徴とする請求項１記載の電気カーペット。
【請求項３】
前記振動手段を複数個配設し、その振動手段を一定時間ずつずらしながら運転させ、マッサージ位置を徐々に移動させるムーブ運転モードを設けたことを特徴とする請求項１記載の電気カーペット。
【発明の詳細な説明】
【技術分野】
【０００１】
本発明は電気カーペットに係わり、詳しくは、同カーペットにマッサージ機能を付加してなるものに関する。
【背景技術】
【０００２】
従来の電気カーペットは、繊維布からなる表生地と断熱性を有する裏生地との間に通電により発熱する発熱体を蛇行状に配設してなるカーペット本体と、前記発熱体への通電量を制御してカーペット本体の温度を制御する制御回路や安全保護装置等を備えた制御部本体と、その制御部本体に接続された電源コードとにより構成されていた。
【０００３】
ところで、世の中に健康志向が高まる中、昨今の家電製品においては、マイナスイオン発生器を搭載したものや高濃度酸素発生器を搭載したものなど、製品本来の機能に付加価値を有するものが要求される傾向にあるが、従来の電気カーペットは温熱が得られるだけの機能しかもたないために、価格低下の一因ともなっており、また、補助的な暖房器具として扱われ、それだけでは十分な暖かさが得られないといった印象が根強くて、需要拡大の妨げになっていた。
【０００４】
そこで、考案されたものとして、図７に示すような電気マットが公開されている。
この電気マットはヒーター３を有するマット本体２に複数の空気袋Ｆ１〜Ｆｎを設ける一方、制御部本体４０側に制御装置３０によって制御されるエアコンプレッサ３２とロータリバルブ３１を設け、エアコンプレッサ３２で生成された圧縮空気をロータリバルブ３１を介して空気袋Ｆ１〜Ｆｎに順次供給するとともに排気していくことにより、空気袋Ｆ１〜Ｆｎの膨張・収縮を順次行い、この繰り返し動作でマッサージを行うようにしたものである（例えば、特許文献１参照）。
【０００５】
しかしながら、この電気マットではマッサージ機能をもたせたことにより付加価値は上がるものの、エアコンプレッサ３２、ロータリバルブ３１等を必要とするため高価なものになるとともに、制御部本体４０も大型化し、一般家庭への普及には問題がある。
なお、マッサージの機能を備えた製品としては他に椅子や足置きが市販されているが、これらは利用する場合の姿勢が規制され、また、椅子は大きいため設置場所が限定され、一般家庭への普及には限度がある。
【０００６】
【特許文献１】特開平１０ー２２０７８７号公報（第３頁、図３）
【発明の開示】
【発明が解決しようとする課題】
【０００７】
したがって、本発明においては従来技術における各問題点に鑑み、大型（面積大）のものに限らず、持ち運びが簡単な小型（面積小）のものであっても暖房とマッサージの両機能を備え、より安価で一般家庭への普及が容易な電気カーペットを提供することを目的としている。
【課題を解決するための手段】
【０００８】
本発明は上記課題を解決するためになされたもので、表生地と裏生地間に、通電により発熱する発熱体と、振動手段を設け、マッサージ機能を備えた電気カーペットとする。
【０００９】
また、前記発熱体と振動手段の双方に同時に通電させる温熱マッサージ運転モードを設けてなる構成とする。
【００１０】
また、前記振動手段を複数個配設し、その振動手段を一定時間ずつずらしながら運転させ、マッサージ位置を徐々に移動させるムーブ運転モードを設けてなる構成とする。
【発明の効果】
【００１１】
本発明による電気カーペットであれば、暖房の機能だけでなく、マッサージの機能も備えているので利用価値が高く、しかも、構成が簡単であるため大型（面積大）のものから小型（面積小）のものまで容易に製品化でき、小型のものは持ち運びが簡単で、狭い部屋での利用が可能であり、また、温熱マッサージ運転モードを選択すれば身体を温めながらマッサージをすることができるのでマッサージの効果をより高めることができ、また、ムーブ運転モードを選択すればマッサージの位置を徐々に移動させることができるなど、好みによる使い分けが可能である。また、後述の電気カーペットでは、振動手段が所定時間運転されると自動的に停止する仕組みになっているので一々スイッチ操作をする必要もなく、安全で、安心して利用できるものとなっている。
【発明を実施するための最良の形態】
【００１２】
以下、本発明の実施の形態を、添付図面に基づいて説明する。
【実施例１】
【００１３】
図１は電気カーペットの全体構成を、図２は従来から用いられている電気カーペット用の発熱体の構造を示したものである。
図１に示す電気カーペットは、カーペット本体１と、このカーペット本体１の一隅に設けられた制御部本体２と、この制御部本体２に接続された電源コード３とから構成されている。
【００１４】
カーペット本体１は繊維布からなる表生地４と断熱性を有する裏生地５との間に、図２に示すような構成からなる発熱体６を蛇行状に配設してその端末部を制御部本体２に電気的に接続し、この蛇行状に配設された発熱体６─６間の領域に複数個の振動手段７（振動体Ｍａ〜Ｍｎ）を配設した構成になっており、後述する制御部本体２（図５参照）に設けられたモード選択部の操作によって温熱マッサージの他、温熱ムーブマッサージ等、好みのマッサージが行えるようになっている。
【００１５】
発熱体６については今更説明するまでもないが、図２に示すように、直線状の撚線で形成した第１の発熱線６ａを合成樹脂（ポリエステル）繊維からなる絶縁層６ｂで被覆し、この絶縁層６ｂの同軸上に第２の発熱線６ｃを螺旋状に捲回し、その上からナイロン等からなる絶縁層６ｄを被覆し、同絶縁層６ｄの周囲に検知線６ｅを螺旋状に捲回し、その上から塩化ビニール等からなる外被絶縁層６ｆを被覆した３重巻構造となっており、安全基準に基づいた手順により制御部本体２に接続されている。なお、第１の発熱線６ａと第２の発熱線６ｃはその電流位相が互いに逆位相になるよう接続され、これによりカーペット本体１の表面からの電磁波の放射が防止されている。
【００１６】
図３は本発明による電気カーペットの要部を断面図示したもので、表生地４と裏生地５とによって発熱体６と振動手段７が交互に横配列状に挟持された形態になっている。
振動手段７は、例えばモータの回転軸７ａに円形の偏心荷重（回動体）７ｂを固定させたもので、その偏心荷重７ｂの回動によって表生地４が波打つように局部的に上下動を繰り返し、これによって寝ながらでも身体をもみほぐせるようにしてあり、本例では複数個の振動手段７（振動体Ｍａ〜Ｍｎ）が２列に設けられている。
なお、図において、４ａは表生地４表面に被せられた表カバー、５ａは裏生地５表面に被せられた裏カバーである。
【００１７】
なお、振動手段７は図３に示すような偏心荷重７ｂを有するものに限定するものではなく、例えば、上面が上下動する構成のものでもよく、また、振動手段７はカーペット本体１の裏生地４に直接配設してもよいが、図４に示すような専用の取付板８に配設し、その取付板８を裏生地４の所定位置に接着剤等を用いて固定するようにすれば、組立をより簡単にすることができる。
【００１８】
図５は制御部本体２側に設けられた制御系の構成を示すブロック図で、９は交流電源である。制御部本体２は、交流電源９の両端間に直列に設けられた電源スイッチ１０、発熱体（ヒーター）６の温度を調節する可変抵抗器１１、整流ダイオード１２、および検知線６ｅと、電源スイッチ１０の投入を検出する検出部１３と、コンパレータ１４と、同コンパレータ１４に基準電圧を出力する基準電圧発生部１５と、後述のリレー等を制御する制御部１６と、振動手段７（振動体Ｍａ〜Ｍｎ）の運転モードの選択を行うモード選択部１７と、タイマー部１８と、制御部１６からの出力により振動手段７（振動体Ｍａ〜Ｍｎ）を駆動するリレー１９と、運転状況等を表示する表示部２０と、制御部１６およびコンパレータ１４からの出力により発熱体（ヒーター）６をＯＮ／ＯＦＦするリレー駆動部２１とからなり、モード選択部１７の操作によって暖房（ヒーター通電）のみか、マッサージ運転を行うのか等の選択ができるようになっている。
【００１９】
以下、制御動作の一例を図６のフローチャートに基づいて説明する。
制御部本体２に電源が投入され、モード選択部１７が操作されるとその操作回数によって、ステップＳＴ１の「暖房のみにするか」、ステップＳＴ２の「マッサージだけにするか」、ステップＳＴ３の「ムーブマッサージにするか」、ステップＳＴ４の「温熱マッサージにするか」、ステップＳＴ５の「温熱ムーブマッサージにするか」の選択がなされ、「暖房のみ」が選択されるとヒーター（発熱体）６に通電され（ステップＳＴ６）てカーペット本体１が温まり、ステップＳＴ２の「マッサージだけ」が選択されるとヒーター６への通電はなく、配設された複数個の振動手段７（振動体Ｍａ〜Ｍｎ）が一斉に動作（ステップＳＴ７）する。
【００２０】
また、ステップＳＴ３の「ムーブマッサージ」が選択されるとヒーター６への通電はなく、配設された複数個の振動手段７（振動体Ｍａ〜Ｍｎ）が順に動作（ステップＳＴ８）し、また、ステップＳＴ４の「温熱マッサージ」が選択されるとヒーター６への通電がなされるとともに、配設された複数個の振動手段７（振動体Ｍａ〜Ｍｎ）が一斉に動作（ステップＳＴ９）し、身体を温めながらマッサージを行うことができ、また、ステップＳＴ５の「温熱ムーブマッサージ」が選択されるとヒーター６への通電がなされるとともに、配設された複数個の振動手段７（振動体Ｍａ〜Ｍｎ）が順に動作（ステップＳＴ１０）することになる。
【００２１】
ステップＳＴ１１になると表示部２０に設定内容等の表示がなされ、ステップＳＴ１２でタイマー１８がスタートする。ステップＳＴ１３では設定に変更があるかどうかの判定がなされ、設定変更があるとその設定内容に該当するステップまで戻るが、設定内容に変更がなければ所定時間（例えば１０分間）が経過するまで選択設定された条件でのマッサージが行われることになる。
【００２２】
以上説明したような機能をゆうする電気カーペットであるならば、暖房器として利用できるだけでなくマッサージ器としても利用でき、しかも寝た姿勢で身体を温めながらマッサージが行えることにより、より優れたマッサージ効果が得られ、更に、利用されている発熱体では電磁波の発生を打ち消す構成となっているので、長時間の使用でも身体に悪影響を及ぼす恐れはなく、安全かつ便利である。
【図面の簡単な説明】
【００２３】
【図１】本発明による電気カーペットの概略構成図である。
【図２】電気カーペットに用いる発熱体の構成を示す斜視図である。
【図３】本発明による電気カーペットの要部拡大断面図である。
【図４】本発明に係わる振動手段の取付例を示す斜視図である。
【図５】本発明による電気カーペットの制御系を示すブロック図である。
【図６】本発明による電気カーペットの制御例を示すフローチャートである。
【図７】従来の電気マットの制御系を示すブロック図である。
【符号の説明】
【００２４】
１  カーペット本体
２  制御部本体
３  電源コード
４  表生地
４ａ  表カバー
５  裏生地
５ａ  裏カバー
６  発熱体（ヒーター）
７  振動手段（振動体Ｍａ〜Ｍｎ）
７ａ  モータの回転軸
７ｂ  偏心荷重（回動体）
８  取付板
１０  電源スイッチ
１４  コンパレータ
１５  基準電圧発生部
１６  制御部
１７  モード選択部
１８  タイマー
１９  リレー
【図１】
2006029731.tif 000003
【図２】
2006029731.tif 000004
【図３】
2006029731.tif 000005
【図４】
2006029731.tif 000006
【図５】
2006029731.tif 000007
【図６】
2006029731.tif 000008
【図７】
2006029731.tif 000009